(57)【要約】  映像表示制御装置は、制御データ生成部が生成した制御データに基づいて映像信号を補正して補正後の映像信号をディスプレイに出力する映像信号処理部と、映像信号の平均輝度と補正後の映像信号の平均輝度との差分に基づいてバックライトの発光輝度を制御するバックライト制御部とを備える。制御データ生成部は、黒帯領域に対応する映像信号を除く映像信号の高階調領域のダイナミックレンジの一部を低階調領域に割り当て、バックライト制御部は、映像信号の平均輝度に対する補正後の映像信号の平均輝度の増減に応じて、画面に表示される映像の平均輝度の増減を打ち消すようにバックライトの発光輝度を制御する。
2013114805.tif 000002
【特許請求の範囲】
【請求項１】
画面と前記画面に向けて発光するバックライトとを有したディスプレイへの映像の表示を制御する映像表示制御装置であって、
当該映像表示制御装置に入力された映像信号の黒帯領域を検出する黒帯検出部と、
当該映像表示制御装置に入力された映像信号のうち、所定の領域である特徴量検出領域に対応する映像信号の平均輝度及び輝度に関するヒストグラム度数を検出する特徴検出部と、
前記特徴検出部が検出した値から前記映像信号を補正するための制御データを生成する制御データ生成部と、
前記制御データ生成部が生成した制御データに基づいて前記映像信号を補正して、補正後の映像信号を前記ディスプレイに出力する映像信号処理部と、
前記映像信号の平均輝度と前記補正後の映像信号の平均輝度との差分に基づいて前記バックライトの発光量を制御するバックライト制御部と、を備え、
前記特徴検出部は、前記映像表示制御装置に入力された映像信号のうち前記黒帯検出部が検出した黒帯領域を除いた領域の映像信号を前記特徴量検出領域の映像信号として設定し、
前記制御データ生成部は、前記映像信号処理部が前記映像信号のうち前記特徴量検出領域に設定された領域の映像信号の高階調領域のダイナミックレンジを前記映像信号の低階調領域に割り当てる補正を行うための制御データを生成し、
前記バックライト制御部は、前記映像信号の平均輝度に対する前記補正後の映像信号の平均輝度の増減に応じて、前記画面に表示される映像の平均輝度の増減を打ち消すように前記バックライトの発光輝度を制御することを特徴とする映像表示制御装置。
【請求項２】
前記特徴検出部は、前記黒帯検出部からの黒帯領域情報に応じて、特徴検出領域に黒帯領域が含まれないように変化させることを特徴とする請求項１に記載の映像表示制御装置。
【請求項３】
前記制御データは、前記高階調領域のヒストグラム度数及び前記低階調領域のヒストグラム度数の相対的な大きさに応じて決定される、前記映像信号処理部による補正後の映像信号のガンマ特性を示し、
前記補正後の映像信号のガンマ特性は、ヒストグラム度数が相対的に大きな領域ほど傾きが大きいことを特徴とする請求項１または２に記載の映像表示制御装置。
【請求項４】
前記制御データ生成部は、前記高階調領域のダイナミックレンジを前記低階調領域に割り当てる補正において、前記低階調領域に割り当てられる前記高階調領域のダイナミックレンジの量又は割合を、前記高階調領域のヒストグラム度数に応じて決定することを特徴とする請求項１ないし３のいずれかに記載の映像表示制御装置。
【請求項５】
前記制御データ生成部は、前記高階調領域のダイナミックレンジを前記低階調領域に割り当てる補正において、前記高階調領域のヒストグラム度数が第一の閾値よりも小さい場合は、前記低階調領域に割り当てるダイナミックレンジの量又は割合を増やし、前記高階調領域のヒストグラム度数が第二の閾値よりも大きい場合は、前記低階調領域に割り当てるダイナミックレンジの量又は割合を減らすことを特徴とする請求項４に記載の映像表示制御装置。
【請求項６】
前記制御データ生成部は、前記高階調領域のヒストグラム度数が前記第一の閾値よりも大きく前記第二の閾値よりも小さい場合は、前記高階調領域のヒストグラム度数が高いほど前記低階調領域に割り当てるダイナミックレンジの量又は割合を減らすことを特徴とする請求項５に記載の映像表示制御装置。
【請求項７】
前記映像信号処理部は、前記黒帯検出部からの黒帯領域情報に応じて、黒帯領域に対しては補正を実施しないことを特徴とする請求項１に記載の映像表示制御装置。
【請求項８】
画面と前記画面に向けて発光するバックライトとを有したディスプレイへの映像の表示を制御する映像表示制御装置であって、
当該映像表示制御装置に入力された映像信号の黒帯領域を判定検出する黒帯判定部と、
当該映像表示制御装置に入力された映像信号のうち、所定の領域である特徴量検出領域に対応する映像信号の平均輝度及び輝度に関するヒストグラム度数を検出する特徴検出部と、
前記特徴検出部が検出した値から前記映像信号を補正するための制御データを生成する制御データ生成部と、
前記制御データ生成部が生成した制御データに基づいて前記映像信号を補正して、補正後の映像信号を前記ディスプレイに出力する映像信号処理部と、
前記映像信号の平均輝度と前記補正後の映像信号の平均輝度との差分に基づいて前記バックライトの発光量を制御するバックライト制御部と、を備え、
前記特徴検出部は、前記映像表示制御装置に入力された映像信号のうち前記黒帯判定部が判定した黒帯領域を除いた領域の映像信号を前記特徴量検出領域の映像信号として設定し、
前記制御データ生成部は、前記映像信号処理部が前記映像信号のうち前記特徴量検出領域に設定された領域の映像信号の高階調領域のダイナミックレンジを前記映像信号の低階調領域に割り当てる補正を行うための制御データを生成し、
前記バックライト制御部は、前記映像信号の平均輝度に対する前記補正後の映像信号の平均輝度の増減に応じて、前記画面に表示される映像の平均輝度の増減を打ち消すように前記バックライトの発光輝度を制御することを特徴とする映像表示制御装置。
【発明の詳細な説明】
【技術分野】
【０００１】
本発明は、ディスプレイに表示する映像のコントラスト及びバックライトの発光輝度を調整する映像表示制御装置に関する。
【背景技術】
【０００２】
従来のディスプレイでは、表示映像のコントラスト又はバックライトの発光輝度については、ユーザがマニュアル操作で調整することが一般的であった。近年、高画質化及び低消費電力化を目的として、経時変化する入力映像信号に応じて、表示映像のコントラストとバックライトの発光輝度を動的に調整する手法が提案されている（例えば、特許文献１参照）。当該手法によれば、表示映像のコントラストを高めながら低消費電力化を図ることができる。
【先行技術文献】
【特許文献】
【０００３】
【特許文献１】日本国特開２００６−１４５８８６号公報
【発明の概要】
【発明が解決しようとする課題】
【０００４】
しかしながら、上記手法では、ディスプレイの最大輝度に基づき、表示映像のコントラストとバックライトの発光輝度の制御を行っているため、映像の一部に字幕又はテロップなどの白文字があるような実際の映像においては効果が低い場合があった。【０００５】
本発明の目的は、映像信号の振幅がダイナミックレンジ幅と同等であっても、コントラストの向上と低消費電力化が可能な映像表示制御装置を提供することである。
【課題を解決するための手段】
【０００６】
上記目的を達成するために本発明の映像表示制御装置は、画面と前記画面に向けて発光するバックライトとを有したディスプレイへの映像の表示を制御する映像表示制御装置であって、当該映像表示制御装置に入力された映像信号の黒帯領域を検出する黒帯検出部と、当該映像表示制御装置に入力された映像信号のうち、所定の領域である特徴量検出領域に対応する映像信号の平均輝度及び輝度に関するヒストグラム度数を検出する特徴検出部と、前記特徴検出部が検出した値から前記映像信号を補正するための制御データを生成する制御データ生成部と、前記制御データ生成部が生成した制御データに基づいて前記映像信号を補正して、補正後の映像信号を前記ディスプレイに出力する映像信号処理部と、前記映像信号の平均輝度と前記補正後の映像信号の平均輝度との差分に基づいて前記バックライトの発光量を制御するバックライト制御部と、を備え、前記特徴検出部は、前記映像表示装置に入力された映像信号のうち前記黒帯検出部が検出した黒帯領域を除いた領域の映像信号を前記特徴量検出領域の映像信号として設定し、前記制御データ生成部は、前記映像信号処理部が前記映像信号のうち前記特徴量検出領域に設定された領域の映像信号の高階調領域のダイナミックレンジを前記映像信号の低階調領域に割り当てる補正を行うための制御データを生成し、前記映像信号処理部は、前記映像表示装置に入力された映像信号のうち前記黒帯検出部が検出した黒帯領域を除いた領域の映像信号を補正し、前記バックライト制御部は、前記映像信号の平均輝度に対する前記補正後の映像信号の平均輝度の増減に応じて、前記画面に表示される映像の平均輝度の増減を打ち消すように前記バックライトの発光輝度を制御するという構成を有する。
【発明の効果】
【０００７】
本発明の映像表示制御装置によれば、高階調領域のダイナミックレンジを低階調領域に割り当て、また、それに伴い発生する映像信号の平均輝度の増減に応じて、画面に表示される映像の平均輝度の増減を打ち消すようにバックライトの発光輝度を制御するため、映像信号の振幅がダイナミックレンジ幅と同等であっても、映像の見た目の明るさをほぼ一定に保ちながら、コントラストの向上とより一層の低消費電力化を実現することができる。
【図面の簡単な説明】
【０００８】
【図１】本発明の実施の形態１における映像表示制御装置及びその周辺の構成を示すブロック図
【図２】ヒストグラムの一例を示す図
【図３】制御データ生成部１３１の動作を示すフローチャート
【図４】図２に示したヒストグラム度数に基づく映像信号の補正前後のガンマ特性の一例を示す図
【図５】制御データ生成部１３１の図３に示した例よりも発展した動作を示すフローチャート
【図６】図４に示したヒストグラム度数に基づく補正後のガンマ特性の一例と、ステップＳ３０の処理を行った後のヒストグラム度数に基づく補正後のガンマ特性の一例とを示す図
【図７】領域Ｄから他の領域に割り当てるダイナミックレンジの量（割合）の導出基準の一例を示す図
【図８】本発明の実施の形態２における映像表示制御装置及びその周辺の構成を示すブロック図
【図９】（ａ）及び（ｂ）は入力映像Ｖの構成図であって、（ａ）は黒帯領域が上下に配置された一例を示す図、（ｂ）は黒帯領域が左右に配置された一例を示す図
【図１０】（ａ）及び（ｂ）は入力映像Ｖと特徴量検出領域の関係を示す図であって、（ａ）は黒帯領域が上下に配置された際の特徴量検出領域の一例を示す図、（ｂ）は黒帯領域が左右に配置された際の特徴量検出領域の一例を示す図
【図１１】（ａ）〜（ｄ）は本発明の実施の形態１によって得られる特性と本発明の実施の形態２によって得られる特性とを比較するための図であって、（ａ）は実施の形態１における特徴量検出領域の一例を示す図、（ｂ）は実施の形態１によって得られるヒストグラム度数に基づく補正後のガンマ特性の一例と、ステップＳ３０の処理を行った後のヒストグラム度数に基づく補正後のガンマ特性の一例とを示す図、（ｃ）は実施の形態２における特徴量検出領域の一例を示す図、（ｄ）は実施の形態２によって得られるヒストグラム度数に基づく補正後のガンマ特性の一例と、ステップＳ３０の処理を行った後のヒストグラム度数に基づく補正後のガンマ特性の一例とを示す図
【図１２】本発明の実施の形態２の変形例における映像表示制御装置の一例及びその周辺の構成を示すブロック図
【図１３】本発明の実施の形態２の変形例における映像表示制御装置の他の例及びその周辺の構成を示すブロック図
【発明を実施するための形態】
【０００９】
（実施の形態１）
図１は、本発明の実施の形態１における映像表示制御装置及びその周辺の構成を示すブロック図である。図１に示すように、映像表示制御装置１の入力側にはＤＶＤプレイヤ等の映像源２が接続され、出力側にはディスプレイ１２が接続される。
【００１０】
ディスプレイ１２は、例えば液晶ディスプレイであり、画面１２１とバックライト１２２とを少なくとも備える。画面１２１には、映像表示制御装置１から送られた映像信号Ｖ１に従った映像が表示される。また、バックライト１２２は、画面１２１の背後に設けられ、映像表示のために光を画面１２１に向けて与える。なお、バックライト１２２の発光輝度は、映像表示制御装置１によって制御される。
【００１１】
映像表示制御装置１は、映像処理ＬＳＩ１１と、制御データ生成部１３１と、バックライト制御部１４とを備える。映像処理ＬＳＩ１１は、映像源２から出力された映像信号Ｖに対し所定の処理を行って、処理後の映像信号Ｖ１をディスプレイ１２に出力する。映像処理ＬＳＩ１１は、特徴検出部１１１と、映像信号処理部１１２とを有する。
【００１２】
特徴検出部１１１は、映像信号Ｖが表す映像の特徴量群Ｆを算出する。特徴検出部１１１は、算出した特徴量群Ｆを制御データ生成部１３１に出力する。特徴量群Ｆは、映像信号Ｖの平均輝度（Average Picture Level：ＡＰＬ）及びヒストグラム度数（Value of Histogram）を含む情報である。また、特徴検出部１１１は、映像信号Ｖを後段の映像信号処理部１１２に出力する。
【００１３】
平均輝度ＡＰＬは、映像信号Ｖが示す１フレームの各画素の輝度値の総和を当該フレームの全画素数で除した値である。また、ヒストグラム度数は、映像信号Ｖが示す１フレームの映像における輝度の階調分布を示すパラメータである。
【００１４】
図２は、ヒストグラムの一例を示す図である。本実施形態では、図２に示すように、輝度レベルは０から２５５までの２５６階調（８ビット）で表わされる。特徴検出部１１１は、１フレームを構成する各画素の輝度レベルを示す２５６階調を領域Ａから領域Ｄの４領域に分け、各領域のヒストグラム度数を検出する。
【００１５】
以下の説明では、領域Ａ（階調０〜６３）のヒストグラム度数をＨＡ、領域Ｂ（階調６４〜１２７）のヒストグラム度数をＨＢ、領域Ｃ（階調１２８〜１９１）のヒストグラム度数をＨＣ、領域Ｄ（階調１９２〜２５５）のヒストグラム度数をＨＤと示す。
【００１６】
映像信号処理部１１２は、制御データ生成部１３１から送られた補正量群Ｃに基づいて映像信号Ｖを補正する。映像信号処理部１１２は、補正後の映像信号Ｖ１をディスプレイ１２に出力する。補正量群Ｃはガンマ特性を補正するパラメータであり、その詳細は後述する。
【００１７】
バックライト制御部１４は、制御データ生成部１３１から送られた輝度制御信号Ｌに基づいて、ディスプレイ１２を構成するバックライト１２２の発光輝度を制御する。
【００１８】
制御データ生成部１３１は、図示しないメモリに格納されているプログラムを実行することで、映像信号処理部１１２に送る補正量群Ｃ及びバックライト制御部１４に送る輝度制御信号Ｌを生成する。図３は、制御データ生成部１３１の動作を示すフローチャートである。以下、図３を参照して、制御データ生成部１３１の基本動作であるコントラスト向上処理について説明する。
【００１９】
図３に示すように、制御データ生成部１３１は、特徴検出部１１１から得られた特徴量群Ｆに含まれる映像信号Ｖのヒストグラム度数ＨＡ〜ＨＤの大きさに応じて、映像信号Ｖのガンマ特性を補正するための補正量群Ｃを生成する（ステップＳ３１）。補正量群Ｃには、補正後のガンマ特性を示す各領域Ａ〜Ｄの直線の傾き及び切片を示す情報が含まれる。なお、以下の説明では、補正されたガンマ特性を示す４直線を「折れ線ガンマ」と呼ぶ。
【００２０】
図４は、図２に示したヒストグラム度数に基づく映像信号の補正前後のガンマ特性を示すグラフである。図４に点線で示す１直線で表される処理前のガンマ特性を、領域Ａから領域Ｄのそれぞれのヒストグラム度数に応じて、ヒストグラム度数の大きい領域の傾きが大きく、ヒストグラム度数の小さい領域の傾きが小さくなるような４直線からなるガンマ特性（処理後のガンマ特性）になるように制御される。
【００２１】
補正量群Ｃに基づく映像信号Ｖのガンマ特性が補正されると、ヒストグラム度数が相対的に大きい領域のダイナミックレンジは拡大し、ヒストグラム度数が相対的に小さい領域のダイナミックレンジは縮小する。すなわち、補正後の傾きが補正前の傾きより大きいほどダイナミックレジは拡大し、補正後の傾きが補正前の傾きより小さいほどダイナミックレンジは縮小する。
【００２２】
なお、図２及び図４に示したように、０〜２５６階調を４つの領域Ａ〜Ｄに分けた場合、各領域における補正後のガンマ特性を示す直線の傾きは、以下の式によって算出される。特徴検出部１１１は、特徴量群Ｆに含まれる映像信号Ｖのヒストグラム度数ＨＡ〜ＨＤに基づいて、各領域の傾きの直線を算出する。
【００２３】
領域Ａの傾き＝ＨＡ／（（ＨＡ＋ＨＢ＋ＨＣ＋ＨＤ）×６４）
領域Ｂの傾き＝ＨＢ／（（ＨＡ＋ＨＢ＋ＨＣ＋ＨＤ）×６４）
領域Ｃの傾き＝ＨＣ／（（ＨＡ＋ＨＢ＋ＨＣ＋ＨＤ）×６４）
領域Ｄの傾き＝ＨＤ／（（ＨＡ＋ＨＢ＋ＨＣ＋ＨＤ）×６４）
次に、制御データ生成部１３１は、特徴量群Ｆに含まれるヒストグラム度数及び補正後のガンマ特性に基づいて、ガンマ特性が補正された映像信号Ｖ１の平均輝度ＡＰＬ１を算出する（ステップＳ３２）。次に、制御データ生成部１３１は、下記式（１）から、映像信号Ｖ１の平均輝度ＡＰＬ１と映像信号Ｖの平均輝度ＡＰＬの差分（シフト量Ｓ１）を算出する（ステップＳ３３）。
【００２４】
シフト量Ｓ１＝ＡＰＬ−ＡＰＬ１  …（１）
次に、制御データ生成部１３１は、ステップＳ３１で算出した折れ線ガンマの傾き及び切片を含む補正量群Ｃを映像信号処理部１１２に出力する（ステップＳ３４）。補正量群Ｃは映像信号処理部１１２にとってガンマ補正パラメータとして機能する。また、制御データ生成部１３１は、ステップＳ３３で算出したシフト量Ｓ１を示す輝度制御信号Ｌをバックライト制御部１４に出力する（ステップＳ３４）。
【００２５】
映像信号処理部１１２は、制御データ生成部１３１から得られた補正量群Ｃに基づいて映像信号Ｖを補正し、補正後の映像信号Ｖ１をディスプレイ１２に出力する。また、バックライト制御部１４は、制御データ生成部１３１から得られた輝度制御信号Ｌに基づいて、バックライト１２２の発光輝度を、その基準輝度値から輝度制御信号Ｌが表すシフト量Ｓ１だけ増減させる。
【００２６】
本実施形態では、シフト量Ｓ１が正値であれば映像信号Ｖの補正によって平均輝度が下がるため、バックライト制御部１４は、基準輝度値よりもシフト量Ｓ１だけ高い発光輝度となるようバックライト１２２を制御する。一方、映像信号処理部１１２の補正により平均輝度が増加する場合は、上記式（１）よりシフト量Ｓ１が負値となるため、バックライト制御部１４は、発光輝度が基準輝度値よりもシフト量Ｓ１だけ減少するようにバックライト１２２を制御する。
【００２７】
上記説明した例によれば、映像信号が示すフレームの各画素の輝度レベルを示す２５６階調を複数の領域に分けて、映像信号のガンマ特性を、ヒストグラム度数が相対的に大きい領域では傾きが大きく、ヒストグラム度数が相対的に小さい領域では傾きが小さくなるよう補正する。すなわち、画面に対して大きな面積を占める輝度レベルの部分に幅広いダイナミックレンジが割り当てられる。このため、映像の一部に字幕又はテロップなどの白文字があるため映像信号の振幅がダイナミックレンジ幅と同様な場合でも、白つぶれ等の弊害なく映像のコントラストを向上できる。
【００２８】
また、映像信号Ｖの平均輝度ＡＰＬとガンマ特性を補正した後の映像信号Ｖ１の平均輝度ＡＰＬ１の差分に基づいて、ディスプレイ１２のバックライト１２２の発光輝度を増減する。すなわち、バックライト１２２の発光輝度は平均輝度に応じて制御されるため、ガンマ特性の補正を行って平均輝度が変化しても、画面１２１における映像の見た目の明るさをほぼ一定に保つことができる。
【００２９】
図５は、制御データ生成部１３１の図３に示した例よりも発展した動作を示すフローチャートである。以下、図５を参照して、制御データ生成部１３１によるコントラスト向上処理及び省電力処理について説明する。制御データ生成部１３１は、最も高い階調の領域に割り当てられているダイナミックレンジの一部を他の領域に割り当てる処理を行う（ステップＳ３０）。図２に示した例では、制御データ生成部１３１は、領域Ｄに割り当てられているダイナミックレンジ（領域Ｄの折れ線の傾き）の一部を領域Ａ〜領域Ｃに割り当てる処理を行う。
【００３０】
なお、最も高い階調の領域（領域Ｄ）から他の領域（領域Ａ〜領域Ｃ）に割り当てるダイナミックレンジの量は、一定量でも良いし、領域Ｄのダイナミックレンジの所定の割合に相当する量であっても良い。また、他の領域（領域Ａ〜領域Ｃ）の各々へ割り当てるダイナミックレンジの配分は、等分でも良いし、所定の重みを付けても良い。
【００３１】
図６は、図４に示したヒストグラム度数に基づく補正後のガンマ特性と、ステップＳ３０の処理を行った後のヒストグラム度数に基づく補正後のガンマ特性とを示すグラフである。図６に示した例では、領域Ｄのダイナミックレンジの４０％が他領域（領域Ａ〜領域Ｃ）に配分され、領域Ａ、領域Ｂ、領域Ｃには領域Ｄから配分されるダイナミックレンジの５０％、２５％、２５％がそれぞれ配分されている。
【００３２】
図６に示すように、領域Ｄのダイナミックレンジの一部を領域Ａ〜領域Ｃに割り当てることにより、領域Ａ〜領域Ｃの各ダイナミックレンジが増大する。すなわち、領域Ｄのヒストグラム度数は下がり、領域Ａ〜領域Ｃの各ヒストグラム度数は上がる。
【００３３】
この状態で、制御データ生成部１３１は、図３を参照して説明したステップＳ３１の処理を行う。その結果、ステップＳ３１で生成された補正量群Ｃに基づき補正された映像信号Ｖ１の平均輝度ＡＰＬ２は、映像信号Ｖの平均輝度ＡＰＬよりも高くなる。
【００３４】
すなわち、領域Ｄのダイナミックレンジの一部が領域Ａ〜領域Ｃに割り当てられることによって、領域Ａ〜領域Ｃのダイナミックレンジが広がると、領域Ａ〜領域Ｃに属する各画素の輝度が全体的に少しずつ上がるため、補正された映像信号Ｖ１の平均輝度は高くなる。
【００３５】
次に、制御データ生成部１３１は、ステップＳ３０で変更したヒストグラム度数及び補正後のガンマ特性に基づいて、ガンマ特性が補正された映像信号Ｖ１の平均輝度ＡＰＬ２を算出する（ステップＳ３２Ａ）。次に、制御データ生成部１３１は、下記式（２）から、映像信号Ｖ１の平均輝度ＡＰＬ２と映像信号Ｖの平均輝度ＡＰＬの差分（シフト量Ｓ２）を算出する（ステップＳ３３Ａ）。
【００３６】
シフト量Ｓ２＝ＡＰＬ−ＡＰＬ２  …（２）
次に、制御データ生成部１３１は、ステップＳ３１で算出した折れ線ガンマの傾き及び切片を含む補正量群Ｃを映像信号処理部１１２に出力する（ステップＳ３４）。補正量群Ｃは映像信号処理部１１２にとってガンマ補正パラメータとして機能する。また、制御データ生成部１３１は、ステップＳ３３Ａで算出したシフト量Ｓ２を示す輝度制御信号Ｌをバックライト制御部１４に出力する（ステップＳ３４）。
【００３７】
図６に示すように、ダイナミックレンジの配分（ステップＳ３０の処理）を行った上での映像信号Ｖ１の平均輝度ＡＰＬ２は、当該処理を行っていない映像信号Ｖ１の平均輝度ＡＰＬ１よりも高いため、シフト量Ｓ２は、上記説明したシフト量Ｓ１と比べて負方向に増大した値となる。バックライト制御部１４は、発光輝度が基準輝度値よりもシフト量Ｓ２だけ減少するようにバックライト１２２を制御する。このため、バックライト１２２の発光輝度は、ステップＳ３０を行わない場合と比較して、ＡＰＬ２とＡＰＬ１の差分の分だけ減少する。
【００３８】
以上のように、図５及び図６に示した例によれば、高階調領域（図２に示した例では領域Ｄ）のダイナミックレンジを低階調領域（図２に示した例では領域Ａ〜領域Ｃ）に割り当て、これに伴い発生する映像信号の平均輝度の増加分を打ち消すようにバックライト１２２の発光輝度を減少させる。その結果、画面１２１における映像の見た目の明るさをほぼ一定に保ちながら、バックライト１２２における消費電力を低減できる。
【００３９】
また、単に映像信号に線形のゲインをかける場合と異なり、折れ線ガンマによる非線形の特性によって映像信号にゲインをかけるため、白つぶれなどの画質面での弊害を抑えながら、低消費電力化を実現することができる。
【００４０】
このように、コントラスト向上処理と省電力処理を併せて実施することにより、全体的な画面の明るさをほぼ一定に保ちながら、低消費電力化とコントラストの向上を実現することができる。
【００４１】
なお、補正量群Ｃのガンマ補正パラメータが映像のフレームごとに変化することによるぱたつきを防止するために、映像信号処理部１１２は、ローパスフィルタを介したガンマ補正パラメータに応じた処理を行っても良い。
同様に、補正量群Ｃのシフト量が映像のフレームごとに変化することによるぱたつきを防止するために、バックライト制御部１４は、ローパスフィルタを介したシフト量に応じた制御を行っても良い。
【００４２】
また、上記説明では、階調が４つの領域に分けられるため折れ線ガンマは４直線であるが、領域の数は４つに限らず複数（２つ以上）であれば良い。すなわち、折れ線ガンマは、領域の数と同じ数の直線から構成される。
【００４３】
また、制御データ生成部１３１は、高階調領域から他の領域に割り当てるダイナミックレンジの量を、高階調領域のヒストグラム度数に応じて変更しても良い。高階調領域のダイナミックレンジの一部を他の領域に割り当てることによりバックライト１２２の発光輝度を減少させる制御がおこなわれると、低階調領域における見た目の明るさはほぼ一定に保たれるもの、白１００％付近のピーク輝度は下がってしまう。
【００４４】
このため、明るい画素を多く含むシーンでは見た目の明るさが下がってしまう場合も起こり得る。しかし、明るい画素を多く含むシーンでは高階調領域から他の領域に割り当てるダイナミックレンジの量（割合）を減らすことによって、明るい画素を多く含むシーンでも見た目の明るさを一定に保つことができる。
【００４５】
ステップＳ３０において、制御データ生成部１３１は、領域Ｄのヒストグラム度数ＨＤが大きい場合は、領域Ｄから他の領域に割り当てるダイナミックレンジの量（割合）を減らし、ヒストグラム度数ＨＤが小さい場合は、領域Ｄから他の領域に割り当てるダイナミックレンジの量（割合）を増やす。
【００４６】
図７は、領域Ｄから他の領域に割り当てるダイナミックレンジの量（割合）の導出基準の一例を示すグラフである。図７に示すように、制御データ生成部１３１は、ヒストグラム度数ＨＤが第二の閾値Ｔｈ２より大きい場合は領域Ｄのダイナミックレンジの１０％を他の領域に割り当て、ヒストグラム度数ＨＤが第一の閾値Ｔｈ１より小さい場合は領域Ｄのダイナミックレンジの４０％を他の領域に割り当てる。
【００４７】
また、ヒストグラム度数ＨＤが第一の閾値Ｔｈ１より大きく第二の閾値Ｔｈ２より小さい場合、制御データ生成部１３１は、１０％〜４０％の間で、ヒストグラム度数ＨＤが高いほど少ない割合で領域Ｄのダイナミックレンジを他の領域に割り当てる。
【００４８】
但し、ヒストグラム度数ＨＤが第一の閾値Ｔｈ１より大きく第二の閾値Ｔｈ２より小さい場合、制御データ生成部１３１は、１０％〜４０％の間の固定した割合の領域Ｄのダイナミックレンジを他の領域に割り当てても良い。
【００４９】
（実施の形態２）
以下、本発明の実施の形態２の映像表示制御装置について、図面を用いて説明する。図８は、本発明の実施の形態２における映像表示制御装置３及びその周辺の構成を示すブロック図である。
【００５０】
ただし、本実施の形態において、実施の形態１と同様の構成については、同一符号を付し、その詳細な説明は省略する。
図８に示すとおり、映像表示制御装置３は、映像処理ＬＳＩ１５と、制御データ生成部１３１と、バックライト制御部１４とを備える。映像処理ＬＳＩ１５は、黒帯検出部１５１と、特徴検出部１５２と、映像信号処理部１５３とを有する。
【００５１】
映像源２より出力される映像信号Ｖは、映像信号Ｖをディスプレイ１２に表示した際、図９（ａ）及び図９（ｂ）に示すように、全映像領域Ａ１、実映像領域Ａ２、黒帯領域Ａ３を形成するよう構成される。
【００５２】
全映像領域Ａ１はディスプレイ１２に表示される領域である。実映像領域Ａ２は、ディスプレイに表示される全映像領域の中で、静止画像や動画像など、ユーザによって視聴されるための映像が表示される領域である。
【００５３】
黒帯領域Ａ３は、図９（ａ）に示すとおり、アスペクト比１６：９の映像ソースを、アスペクト比４：３のディスプレイにオリジナル映像のアスペクト比で表示するために実映像領域Ａ２の上下に配置される領域である。
【００５４】
あるいは、黒帯領域Ａ３は、図９（ｂ）に示すような、アスペクト比の４：３の映像ソースを、アスペクト比１６：９のディスプレイにオリジナル映像のアスペクト比で表示するために実映像領域Ａ２の左右に配置される領域であってもよい。
【００５５】
黒帯検出部１５１は、映像信号Ｖが表す映像の黒帯領域Ａ３を検出し、その黒帯領域に基づく黒帯領域情報Ａ（例えば座標情報など）を、特徴検出部１５２と映像信号処理部１５３に出力する。
【００５６】
ここで、映像信号Ｖに含まれる黒帯領域Ａ３を検出する黒帯検出部１５１の検出機能については、映像信号の輝度情報や色度情報、座標情報などを利用した公知の技術を用いて実現されるため、その詳細説明は省略する。
【００５７】
特徴検出部１５２は、黒帯検出部１５１から出力される黒帯領域情報Ａに基づいて、図１０（ａ）及び図１０（ｂ）に示すように、全映像領域Ａ１のうち黒帯領域Ａ３を含まない領域を特徴量検出領域Ａ４として変更（設定）し、映像信号Ｖが表す映像の特徴量群Ｆ’を算出する。
【００５８】
ここで、図１０（ａ）は、黒帯領域Ａ３が、アスペクト比１６：９の映像ソースを、アスペクト比４：３のディスプレイにオリジナル映像のアスペクト比で表示するために実映像領域Ａ２の上下に配置された場合の表示状態を示し、図１０（ｂ）は、黒帯領域がアスペクト比の４：３の映像ソースを、アスペクト比１６：９のディスプレイにオリジナル映像のアスペクト比で表示するために実映像領域Ａ２の左右に配置された場合の表示状態を示している。
【００５９】
特徴検出部１５２は、算出した特徴量群Ｆ’を制御データ生成部１３１に出力する。特徴量群Ｆ’は、映像信号Ｖの平均輝度ＡＰＬ及びヒストグラム度数を含む情報である。また、特徴検出部１５２は、映像信号Ｖを後段の映像信号処理部１１２に出力する。
【００６０】
映像信号処理部１５３は、制御データ生成部１３１から送られた補正量群Ｃに基づいた映像信号Ｖの補正を実施するどうかを、黒帯検出部１５１から出力される黒帯領域情報Ａによって判断する。
【００６１】
映像信号処理部１５３は、実映像領域Ａ２には制御データ生成部１３１から送られた補正量群Ｃに基づいた映像信号Ｖの補正を実施する。なおかつ、映像信号処理部１５３は、黒帯領域Ａ３には制御データ生成部１３１から送られた補正量群Ｃに基づいた映像信号Ｖの補正を実施しない。
【００６２】
映像信号処理部１５３は、補正後の映像信号Ｖ１’をディスプレイ１２に出力する。補正量群Ｃはガンマ特性を補正するパラメータである。
【００６３】
実施の形態１と、実施の形態２との相違点は、映像信号Ｖの黒帯領域Ａ３を検出し、それに基づく黒帯領域情報Ａを出力する機能を有する黒帯検出部１５１を備えていること、上記黒帯検出部１５１によって出力された黒帯領域情報Ａに基づいて、特徴量検出領域Ａ４を変更し、映像信号Ｖが表す映像の特徴量群Ｆ’を算出し出力する機能を有する特徴検出部１５２を備えていること、上記黒帯検出部１５１によって出力された黒帯領域情報Ａに基づいて、映像信号Ｖの補正の実施の有無を判断し、補正後の映像信号Ｖ１’を出力する機能を有する映像信号処理部１５３を備えていることである。ただし、映像信号処理部１５３が行なう補正の処理は、実施の形態１にて詳細説明した内容と同様である。
【００６４】
（変形例）
上述の説明においては、黒帯検出部１５１が映像信号Ｖの輝度情報や色度情報、座標情報などを利用して映像信号Ｖに含まれる黒帯領域Ａ３を検出する構成としていたが、他の構成を用いて黒帯領域情報Ａを利用する例を以下に説明する。
【００６５】
図１２および図１３に実施の形態２の変形例における映像表示制御装置４及びその周辺の構成を示すブロック図を示す。上述の構成と異なる点は、黒帯判定部１６１を用いる点である。
【００６６】
黒帯判定部１６１には、予めアスペクト比に応じた黒帯領域が設定されており、映像信号Ｖが入力されるとこの映像信号Ｖのアスペクト比を判定し、全映像領域に対する黒帯領域の情報を含む黒帯領域情報Ａを映像信号処理部１５３へ出力する。
【００６７】
そして、特徴検出部１５２は、映像表示制御装置４に入力された映像信号Ｖのうち黒帯判定部１６１によって判断された黒帯領域を除いた領域の映像信号を特徴量検出領域Ａ４の映像信号として設定する。それ以降の処理、後段の構成は上記実施の形態２で説明した内容と同様である。
【００６８】
図１２に示す例は、黒帯検出部１５１および黒帯判定部１６１を並列に接続した構成である。この構成を採ることによって、黒帯検出部１５１では検出しきれない黒帯領域があっても、黒帯判定部１６１から出力された黒帯領域情報Ａを利用することができるので、より精度よく後段の制御処理が行なわれる。
【００６９】
図１３に示す例は、黒帯検出部１５１の代わりに黒帯判定部１６１を用いた構成である。映像表示制御装置５に接続される映像源２（あるいは入力される映像信号Ｖ）が限定的で、入力される映像信号Ｖのアスペクト比があらかじめ把握できる場合は、この構成を採ることによって、黒帯領域を抽出する処理量を少なくすることができ、処理時間の短縮を実現することができる。
【００７０】
以上説明したとおり、実施の形態２においては、特徴検出部１５２が黒帯領域情報Ａに基づき、黒帯領域Ａ３が含まれないように、特徴量検出領域Ａ４を変化させることで、黒帯領域Ａ３による領域Ａのヒストグラム度数ＨＡの増加を防ぐことが可能になる。
【００７１】
これより、領域Ｄのヒストグラム度数ＨＤの割合を増加させ、他の領域に割当てる領域Ｄのダイナミックレンジを増加させることにより、バックライト１２２における消費電力を効率的に低減できる。
【００７２】
上述の内容を図１１（ａ）〜図１１（ｄ）を用いてより詳細に説明する。図１１（ａ）〜図１１（ｄ）は、ヒストグラム度数に基づく補正後のガンマ特性の一例と、ステップＳ３０の処理を行った後のヒストグラム度数に基づく補正後のガンマ特性の一例と、それぞれに対応する特徴量検出領域を示すグラフである。
【００７３】
実施の形態１における特徴検出部１１１は、図１１（ａ）に示すように、全映像領域Ａ１を特徴量検出領域Ａ４として補正処理を行なうことによって、図１１（ｂ）に示す特性を得ていた。
【００７４】
実施の形態２における特徴検出部１５２は、図１１（ｃ）に示すように全映像領域Ａ１から黒帯領域Ａ３を除いた領域を特徴量検出領域Ａ４として適用するため、図１１（ｄ）に示されるように、領域Ｄのヒストグラム度数ＨＤの割合を増加させ、領域Ｄのダイナミックレンジのうち、他の領域に割当てるダイナミックレンジを実施の形態１の場合よりも増加させることができる。したがって、バックライト１２２における消費電力を効率的に低減できる。
【００７５】
また、映像信号処理部１５３では、黒帯領域Ａ３を除いた映像信号Ｖに対してのみ補正量群Ｃに基づいて補正することにより、黒帯領域Ａ３に対応する映像信号が補正処理されることなくディスプレイ１２の黒帯領域Ａ３には、映像源２から出力された映像信号Ｖの「黒」がそのまま表示されるため、黒帯領域Ａ３の黒浮きを防ぐこともできる。
【００７６】
本発明を詳細にまた特定の実施態様を参照して説明したが、本発明の精神と範囲を逸脱することなく様々な変更や修正を加えることができることは当業者にとって明らかである。
【００７７】
本発明を詳細にまた特定の実施態様を参照して説明したが、本発明の精神と範囲を逸脱することなく様々な変更や修正を加えることができることは当業者にとって明らかである。
【００７８】
本出願は、2012年2月3日出願の日本特許出願（特願2012-021922）に基づくものであり、その内容はここに参照として取り込まれる。
【産業上の利用可能性】
【００７９】
本発明に係る映像表示制御装置は、映像信号に応じた映像を表示する液晶ディスプレイの制御装置等に好適である。
【符号の説明】
【００８０】
１  映像表示制御装置
１１  映像処理ＬＳＩ
１１１  特徴検出部
１１２  映像信号処理部
１２  ディスプレイ
１２１  画面
１２２  バックライト
１３１  制御データ生成部
１４  バックライト制御部
１５  映像処理ＬＳＩ
１５１  黒帯検出部
１５２  特徴検出部
１５３  映像信号処理部
１６１  黒帯判定部
２  映像源
３，４，５  映像表示制御装置
Ａ１  全映像領域
Ａ２  実映像領域
Ａ３  黒帯領域
Ａ４  特徴量検出領域
【図１】
2013114805.tif 000003
【図２】
2013114805.tif 000004
【図３】
2013114805.tif 000005
【図４】
2013114805.tif 000006
【図５】
2013114805.tif 000007
【図６】
2013114805.tif 000008
【図７】
2013114805.tif 000009
【図８】
2013114805.tif 000010
【図９】
2013114805.tif 000011
【図１０】
2013114805.tif 000012
【図１１】
2013114805.tif 000013
【図１２】
2013114805.tif 000014
【図１３】
2013114805.tif 000015
【手続補正書】
【提出日】平成26年7月22日(2014.7.22)
【手続補正１】
【補正対象書類名】特許請求の範囲
【補正対象項目名】請求項８
【補正方法】変更
【補正の内容】
【請求項８】
画面と前記画面に向けて発光するバックライトとを有したディスプレイへの映像の表示を制御する映像表示制御装置であって、
当該映像表示制御装置に入力された映像信号の黒帯領域を判定する黒帯判定部と、
当該映像表示制御装置に入力された映像信号のうち、所定の領域である特徴量検出領域に対応する映像信号の平均輝度及び輝度に関するヒストグラム度数を検出する特徴検出部と、
前記特徴検出部が検出した値から前記映像信号を補正するための制御データを生成する制御データ生成部と、
前記制御データ生成部が生成した制御データに基づいて前記映像信号を補正して、補正後の映像信号を前記ディスプレイに出力する映像信号処理部と、
前記映像信号の平均輝度と前記補正後の映像信号の平均輝度との差分に基づいて前記バックライトの発光量を制御するバックライト制御部と、を備え、
前記特徴検出部は、前記映像表示制御装置に入力された映像信号のうち前記黒帯判定部が判定した黒帯領域を除いた領域の映像信号を前記特徴量検出領域の映像信号として設定し、
前記制御データ生成部は、前記映像信号処理部が前記映像信号のうち前記特徴量検出領域に設定された領域の映像信号の高階調領域のダイナミックレンジを前記映像信号の低階調領域に割り当てる補正を行うための制御データを生成し、
前記バックライト制御部は、前記映像信号の平均輝度に対する前記補正後の映像信号の平均輝度の増減に応じて、前記画面に表示される映像の平均輝度の増減を打ち消すように前記バックライトの発光輝度を制御することを特徴とする映像表示制御装置。
【国際調査報告】
2013114805.tif 000016
2013114805.tif 000017
2013114805.tif 000018
2013114805.tif 000019